(57)【要約】【課題】ピーク電力を抑圧しつつさらに帯域外輻射を低減可能なピーク抑圧装置を得ること。【解決手段】本発明のピーク抑圧装置は、入力信号の包絡線レベルが所定のしきい値を超える場合に、目標値を前記しきい値とし、一方、前記包絡線レベルが前記しきい値以下の場合に、目標値を前記包絡線レベルとする目標値生成部２２と、前記包絡線レベルと前記目標値との乗算結果を移動平均する乗算器２３，移動平均部２４と、前記包絡線レベルの２乗結果を移動平均する２乗器２５，移動平均部２６と、移動平均部２４による移動平均結果を移動平均部２６による移動平均結果で除算することによって、入力信号に対するゲインを算出する除算器２７と、このゲインを用いて前記しきい値を超える入力信号のピーク電圧を抑圧する乗算器２９と、を備える構成とした。【選択図】　　　図３
2004128923.tif 000002
【特許請求の範囲】
【請求項１】
入力信号の包絡線レベルと所定のしきい値に基づいて入力信号のピーク電圧を抑圧するための目標値を決定する目標値決定手段と、
前記包絡線レベルと前記目標値との乗算結果を移動平均する第１の移動平均手段と、
前記包絡線レベルの２乗結果を移動平均する第２の移動平均手段と、
前記第１の移動平均手段による移動平均結果を前記第２の移動平均手段による移動平均結果で除算することによって、前記入力信号に対するゲインを算出するゲイン算出手段と、
前記ゲインを用いて前記しきい値を超える入力信号のピーク電圧を抑圧するピーク抑圧手段と、
を備えることを特徴とするピーク抑圧装置。
【請求項２】
入力信号の包絡線レベルと所定のしきい値に基づいて入力信号のピーク電圧を抑圧するための目標値を決定する目標値決定手段と、
前記包絡線レベルと前記目標値との乗算結果をＦＩＲ（Ｆｉｎｉｔｅ　Ｉｍｐｕｌｓｅ　Ｒｅｓｐｏｎｓｅ）フィルタによりフィルタリングする第１のフィルタリング手段と、
前記包絡線レベルの２乗結果をＦＩＲフィルタによりフィルタリングする第２のフィルタリング手段と、
前記第１のフィルタリング手段によるフィルタリング結果を前記第２のフィルタリング手段によるフィルタリング結果で除算することによって、前記入力信号に対するゲインを算出するゲイン算出手段と、
前記ゲインを用いて前記しきい値を超える入力信号のピーク電圧を抑圧するピーク抑圧手段と、
を備えることを特徴とするピーク抑圧装置。
【請求項３】
前記第１および第２のＦＩＲフィルタリング手段では、ＦＩＲフィルタの中央に近づくほど大きい値となるように、タップ係数を設定することを特徴とする請求項２に記載のピーク抑圧装置。
【請求項４】
前記目標値決定手段は、前記包絡線レベルが前記しきい値を超える場合に、目標値を前記しきい値とし、一方、前記包絡線レベルが前記しきい値以下の場合に、目標値を前記包絡線レベルとすることを特徴とする請求項１、２または３に記載のピーク抑圧装置。
【請求項５】
前記目標値決定手段は、前記包絡線レベルが前記しきい値を超える場合に、目標値を超過部分の包絡線レベルに応じてしきい値よりも小さい値とし、一方、前記包絡線レベルが前記しきい値以下の場合に、目標値を前記包絡線レベルとすることを特徴とする請求項１、２または３に記載のピーク抑圧装置。
【請求項６】
前記目標値決定手段は、前記包絡線レベルが前記しきい値を超える場合に、目標値を超過部分の包絡線レベルに応じてしきい値よりも小さくかつ０以上の値とし、一方、前記包絡線レベルが前記しきい値以下の場合に、目標値を前記包絡線レベルとすることを特徴とする請求項１、２または３に記載のピーク抑圧装置。
【請求項７】
さらに、前記所定のしきい値を入力信号の包絡線レベルの平均値を基準に算出するしきい値算出手段、
を備えることを特徴とする請求項１〜６のいずれか一つに記載のピーク抑圧装置。
【請求項８】
変調信号のピーク電圧を抑圧するピーク抑圧部を備えた送信装置において、
前記ピーク抑圧部は、
入力信号の包絡線レベルと所定のしきい値に基づいて入力信号のピーク電圧を抑圧するための目標値を決定する目標値決定手段と、
前記包絡線レベルと前記目標値との乗算結果を移動平均する第１の移動平均手段と、
前記包絡線レベルの２乗結果を移動平均する第２の移動平均手段と、
前記第１の移動平均手段による移動平均結果を前記第２の移動平均手段による移動平均結果で除算することによって、前記入力信号に対するゲインを算出するゲイン算出手段と、
前記ゲインを用いて前記しきい値を超える入力信号のピーク電圧を抑圧するピーク抑圧手段と、
を備えることを特徴とする送信装置。
【請求項９】
変調信号のピーク電圧を抑圧するピーク抑圧部を備えた送信装置において、
前記ピーク抑圧部は、
入力信号の包絡線レベルと所定のしきい値に基づいて入力信号のピーク電圧を抑圧するための目標値を決定する目標値決定手段と、
前記包絡線レベルと前記目標値との乗算結果をＦＩＲ（Ｆｉｎｉｔｅ　Ｉｍｐｕｌｓｅ　Ｒｅｓｐｏｎｓｅ）フィルタによりフィルタリングする第１のフィルタリング手段と、
前記包絡線レベルの２乗結果をＦＩＲフィルタによりフィルタリングする第２のフィルタリング手段と、
前記第１のフィルタリング手段によるフィルタリング結果を前記第２のフィルタリング手段によるフィルタリング結果で除算することによって、前記入力信号に対するゲインを算出するゲイン算出手段と、
前記ゲインを用いて前記しきい値を超える入力信号のピーク電圧を抑圧するピーク抑圧手段と、
を備えることを特徴とする送信装置。
【請求項１０】
さらに、前記ピーク抑圧部は、
前記所定のしきい値を入力信号の包絡線レベルの平均値を基準に算出するしきい値算出手段、
を備えることを特徴とする請求項８または９に記載の送信装置。
【発明の詳細な説明】
【０００１】
【発明の属する技術分野】
本発明は、変調信号のピーク電圧を抑圧することが可能なピーク抑圧装置および送信装置に関するものであり、特に、ピーク電圧を抑圧した場合であっても、非線形な振幅制限が行われるために発生する帯域外輻射を低減可能なピーク抑圧装置および送信装置に関するものである。
【０００２】
【従来の技術】
以下、従来の送信装置について説明する。たとえば、マルチキャリア変調方式においては、送信装置側にて変調信号のピーク電圧を抑圧する処理を行う。図１１は、従来の送信装置の構成を示す図である（たとえば、非特許文献１参照。）。
【０００３】
ここで、上記従来の送信装置として、たとえば、マルチキャリア変調方式における変調信号のピーク電圧を抑圧することが可能な送信装置の動作について説明する。
【０００４】
まず、送信データはシリアル／パラレル（Ｓ／Ｐ）変換部２００に入力され、ここでは、受け取ったシリアルデータを送信可能なキャリア数分のパラレルデータに変換する。Ｓ／Ｐ変換後のデータを個別に受け取った変調器２０１−１，２０１−２，…，２０１−ｎでは、それぞれ所定の変調処理を実行する。変調信号を受け取った逆フーリエ変換（ＩＦＦＴ）部２０２では、各変調信号に対して逆フーリエ変換を行ってマルチキャリア信号を生成し、それをシンボル毎の時間波形として出力する。ＩＦＦＴ部２０２の出力信号を受け取ったガードインターバル（ＧＩ）付加部２１０では、無線通信における伝送路上の遅延波の影響を軽減するために、ガードインターバルを付加する。
【０００５】
ガードインターバル付加後のシンボルを受け取ったクリッピング部２２０では、ガードインターバル付加後のシンボルの時間波形のピーク電圧を削減する。ピーク電圧削減後（クリッピング処理後）の信号出力ｙは、たとえば、サンプル毎の信号入力をｘとし、クリッピングの振幅をＡとした場合、次式（１）にて表すことができる。
【０００６】
【数１】
2004128923.tif 000003
【０００７】
クリッピング後の信号を受け取ったフィルタ部２３０では、クリッピング部２２０にて非線形な振幅制限が行われるために発生する帯域外の大きな輻射電力を抑圧するようにフィルタリング処理を行う。その後、フィルタリング処理後の信号を受け取った周波数変換部２４０が当該信号を所定の周波数帯に変換し、送信アンプ部２５０が周波数変換後の信号を増幅し、送信アンプ部２５０にて増幅された信号がアンテナ２６０から送信される。
【０００８】
【非特許文献１】
Ｅｆｆｅｃｔｓ　ｏｆ　Ｃｌｉｐｐｉｎｇ　ａｎｄ　Ｆｉｌｔｅｒｉｎｇ　ｏｎ　ｔｈｅ　Ｐｅｒｆｏｒｍａｎｃｅ　ｏｆ　ＯＦＤＭ，　ＩＥＥＥ　Ｃｏｍｍｕｎｉｃａｔｉｏｎｓ　Ｌｅｔｔｅｒｓ，　ｖｏｌ．　２　Ｎｏ．　５，　ｐ．１３１−１３３　１９９８年５月
【０００９】
【発明が解決しようとする課題】
上記、従来の送信装置においては、マルチキャリア変調後の信号のピーク電圧が平均電力に対して非常に大きなものとなり、使用するキャリア数が大きいほど振幅の分布の広がりが大きくなる傾向にある。このとき、送信アンプは線形な領域を使用して送信する必要があるので、上記大きなピーク電圧に対応して歪みなく伝送を行うためには、大きなバックオフを設定する必要がある。しかしながら、大きなバックオフを設定すると、電力効率の低下を招くことになる、という問題があった。
【００１０】
また、ピーク電圧を抑圧するためには、上記のように、信号振幅（包絡線レベル）に上限値を設定するクリッピングという方法がある。しかしながら、クリッピングを施した後には帯域外輻射が生じ、さらに、この帯域外輻射を抑えるためにフィルタを用いて帯域制限を行うとピーク電圧が再び現れるため、バックオフを設定する際にマージンを持たせる必要があり、これが送信アンプの電力効率の低下につながる、という問題があった。
【００１１】
また、入力される信号振幅がある一定時間毎に変動する場合には、ピーク電圧を抑圧するための信号振幅の上限値が固定であると、必要以上に信号成分をクリッピングしてしまう可能性がある。そのため、帯域外輻射が生じるとともに、さらに、信号の変調精度が劣化する、という問題があった。
【００１２】
本発明は、上記に鑑みてなされたものであって、ピーク電圧を抑圧しつつ、さらに帯域外輻射を低減可能なピーク抑圧装置および送信装置を得ることを目的とする。
【００１３】
【課題を解決するための手段】
上述した課題を解決し、目的を達成するために、本発明にかかるピーク抑圧装置にあっては、入力信号の包絡線レベルと所定のしきい値に基づいて入力信号のピーク電圧を抑圧するための目標値を決定する目標値決定手段と、前記包絡線レベルと前記目標値との乗算結果を移動平均する第１の移動平均手段と、前記包絡線レベルの２乗結果を移動平均する第２の移動平均手段と、前記第１の移動平均手段による移動平均結果を前記第２の移動平均手段による移動平均結果で除算することによって、前記入力信号に対するゲインを算出するゲイン算出手段と、前記ゲインを用いて前記しきい値を超える入力信号のピーク電圧を抑圧するピーク抑圧手段と、を備えることを特徴とする。
【００１４】
この発明によれば、ピーク電圧を抑圧するために、送信すべき信号の振幅（包絡線レベル）に対して所定のしきい値を設定し、たとえば、包絡線レベルが前記しきい値よりも大きい場合には、ゲインを適応的にコントロールするための目標値を前記しきい値とし、一方、包絡線レベルが前記しきい値よりも小さい場合には、目標値を包絡線レベルとする。そして、ピーク抑圧後の信号が目標値に近づくように、上記送信すべき信号に対して適応信号処理により算出されたゲインを乗算する。
【００１５】
【発明の実施の形態】
以下に、本発明にかかるピーク抑圧装置および送信装置の実施の形態を図面に基づいて詳細に説明する。なお、この実施の形態によりこの発明が限定されるものではない。
【００１６】
実施の形態１．
本実施の形態は、変調信号のピーク電圧を抑圧することが可能なピーク抑圧装置（送信装置）に関するものであり、当該ピーク電圧を抑圧する処理を、一例として、マルチキャリア変調方式の変調信号に適用した場合について説明する。
【００１７】
図１は、本発明にかかる送信装置の構成を示す図である。また、図２は、ガードインターバル（ＧＩ）の付加方法を示す図である。
【００１８】
ここで、上記ピーク電圧を抑圧する処理をマルチキャリア変調方式の送信装置に適用した場合の動作を、図１を用いて説明する。まず、送信データはシリアル／パラレル（Ｓ／Ｐ）変換部１に入力され、ここでは、受け取ったデータを送信可能なキャリア数分のパラレルデータに変換する。Ｓ／Ｐ変換後のデータを個別に受け取った変調器２−１，２−２，…，２−ｎでは、それぞれデータを変調する。各変調器の出力（変調信号）を受け取った逆フーリエ変換（ＩＦＦＴ）部３では、各変調信号に対して逆フーリエ変換を実行し、マルチキャリア信号としてシンボル毎の時間波形を出力する。ＩＦＦＴ部３の出力を受け取ったガードインターバル（ＧＩ）付加部４では、無線通信における伝送路上の遅延波の影響を軽減するために、図２に示すように、ガードインターバルを付加する。
【００１９】
ピーク抑圧部５では、ガードインターバル付加後の時間波形におけるピーク電圧を抑圧する。ここで、ピーク抑圧部５の動作を図３，図４，図５を用いて詳細に説明する。図３は、実施の形態１のピーク抑圧部５の構成を示す図であり、図４は、ピーク抑圧部５の移動平均処理の一例を示す図であり、図５は、ピーク電圧を抑圧する手順を示す図である。
【００２０】
包絡線検出部２１では、入力された複素信号の包絡線レベルを検出する。そして、包絡線検出部２１の出力（包絡線レベル）を、目標値生成部２２，乗算器２３，２乗器２５に対してそれぞれ出力する。このとき、包絡線レベルは、図５（ａ）に示すような複数のピークを有する雑音状の波形（ピーク抑圧前の包絡線）となる。
【００２１】
目標値生成部２２では、包絡線検出部２１の出力を用いて、設定されたしきい値ｄｔｈに基づいた目標値ｄ（ｉ）をサンプル毎に算出する。包絡線検出部２１の出力するサンプル毎の包絡線レベル（複素値）をｚ（ｉ）とすると、目標値ｄ（ｉ）は次式（２）のように表すことができる。その結果、目標値ｄ（ｉ）は、図５（ｂ）に示すように、ピークがしきい値ｄｔｈで抑圧された波形となる。
【００２２】
【数２】
2004128923.tif 000004
【００２３】
目標値ｄ（ｉ）を受け取った乗算器２３では、当該目標値ｄ（ｉ）と包絡線レベルｚ（ｉ）とを乗算する。さらにその乗算結果を受け取った移動平均部２４では、図４に示す（Ｍ＋１）段のシフトレジスタ３１（Ｍは偶数）と加算器３２と乗算器３３を用いて、移動平均値ｕ（ｉ）を出力する。具体的には、次式（３）に従って、移動平均値ｕ（ｉ）を算出する。
【００２４】
【数３】
2004128923.tif 000005
【００２５】
一方、２乗器２５では、入力された包絡線レベルｚ（ｉ）を２乗し、その結果を移動平均部２６に対して出力する。移動平均部２６では、次式（４）に従って、移動平均値ｖ（ｉ）を算出する。
【００２６】
【数４】
2004128923.tif 000006
【００２７】
移動平均値ｕ（ｉ）および移動平均値ｖ（ｉ）を受け取った除算器２７では、次式（５）に従って除算を行い、ゲインｇ（ｉ）を出力する。
【００２８】
【数５】
2004128923.tif 000007
【００２９】
そして、入力複素信号に式（５）で算出されたゲインｇ（ｉ）を乗算するため、遅延器２８では、複素信号の遅延調整を行う。乗算器２９では、遅延調整後の複素信号に対してゲインｇ（ｉ）を乗算し、その結果をピーク抑圧後の信号として出力する。図５（ｃ）にピーク抑圧後の信号の包絡線レベルを示す。
【００３０】
その後、ピーク抑圧部５で得られたピーク抑圧後の信号を受け取った周波数変換部６が当該信号を所定の周波数帯に変換し、送信アンプ部８が周波数変換後の信号を増幅し、送信アンプ部８にて増幅された信号がアンテナ９から送信される。
【００３１】
なお、本実施の形態では、変調信号のピーク電圧を抑圧する処理を、マルチキャリア変調方式を採用する送信装置を用いて説明したが、この処理についてはこれに限らず、たとえば、変調信号のピーク電圧が大きくなるＣＤＭＡ（Ｃｏｄｅ　Ｄｉｖｉｓｉｏｎ　Ｍｕｌｔｉｐｌｅ　Ａｃｃｅｓｓ）方式を採用する送信装置（ピーク抑圧装置）に適用することとしてもよい。
【００３２】
このように、本実施の形態においては、ピーク電圧を抑圧するために、送信すべき信号の振幅（包絡線レベル）に対して所定のしきい値を設定し、たとえば、包絡線レベルが上記しきい値よりも大きい場合には、ゲインを適応的にコントロールするための目標値を上記しきい値とし、一方、包絡線レベルが上記しきい値よりも小さい場合には、目標値を包絡線レベルとする。そして、ピーク抑圧後の信号が目標値に近づくように、上記送信すべき信号に対して適応信号処理により算出されたゲインを乗算する。これにより、ピーク電圧を抑圧しつつ、さらに帯域外輻射を低減させることができる。
【００３３】
実施の形態２．
図６は、実施の形態２のピーク抑圧部５の構成を示す図である。なお、ピーク抑圧部５以外の送信装置の構成については、先に説明した実施の形態１の図１と同様であるため同一の符号を付してその説明を省略する。ここでは、実施の形態１と動作の異なるピーク抑圧部５の処理についてのみ説明する。
【００３４】
以下、本実施の形態におけるピーク抑圧部５の動作を、図面を用いて詳細に説明する。図７は、ピーク抑圧部５内で実行されるＦＩＲ（Ｆｉｎｉｔｅ　Ｉｍｐｕｌｓｅ　Ｒｅｓｐｏｎｓｅ）フィルタ処理の一例を示す図であり、図８は、ＦＩＲフィルタのタップ係数の一例を示す図である。なお、先に説明した実施の形態１の図３と同様の構成については、同一の符号を付してその説明を省略する。
【００３５】
乗算器２３から目標値ｄ（ｉ）と包絡線レベルｚ（ｉ）との乗算結果を受け取ったＦＩＲフィルタ部４１では、図７に示す（Ｍ＋１）段のシフトレジスタ５１（Ｍは偶数）と乗算器５２−１，５２−２，…，５２−（Ｍ＋１）と加算器５３とを用いて、ＦＩＲフィルタ出力値ｕ（ｉ）を出力する。具体的には、次式（６）に従ってＦＩＲフィルタ出力値ｕ（ｉ）を算出する。
【００３６】
【数６】
2004128923.tif 000008
【００３７】
なお、ここでは、図７に示されるようにＦＩＲフィルタのタップ係数ｂ（０），ｂ（１），…，ｂ（Ｍ）を各レジスタ値に乗算することで、送信信号のサンプルの影響度を考慮する。また、タップ係数は、たとえば、図８に示すように、ｂ（ｊ）のうち（ｊ＝０，…，Ｍ）、ｂ（Ｍ／２）が最も大きくなるように設定された係数を使うこととする。たとえば、ハニング窓，ブラックマン窓等の窓関数に従うものを設定することが有効であり、これにより、ｉ番目のサンプルの信号であるＺ（ｉ）がゲイン生成時に反映されやすくなる。
【００３８】
一方、２乗器２５から包絡線レベルｚ（ｉ）の２乗結果を受け取ったＦＩＲフィルタ部４２では、次式（７）に従って、ＦＩＲフィルタ出力値ｖ（ｉ）を出力する。ただし、ｂ（ｊ）はタップ係数を表す（ｊ＝０，…，Ｍ）。
【００３９】
【数７】
2004128923.tif 000009
【００４０】
その後、ＦＩＲフィルタ出力値ｕ（ｉ）およびＦＩＲフィルタ出力値ｖ（ｉ）を受け取った除算器２７では、上記（５）に従って除算を行い、ゲインｇ（ｉ）を出力する。そして、乗算器２９では、遅延器２８にて遅延調整後の複素信号に対してゲインｇ（ｉ）を乗算し、その結果をピーク抑圧後の信号として出力する。
【００４１】
このように、本実施の形態においては、ピーク電圧を抑圧するために送信信号に乗ずるゲインを、送信信号のサンプルの影響度を考慮した時間方向の重み付け平均処理により算出し、その後、送信信号に対してサンプル毎に上記ゲインを乗算する。これにより、先に説明した実施の形態１よりもピーク電圧抑圧効果を大きくしつつ、帯域外輻射を低減することが可能となる。
【００４２】
実施の形態３．
図９は、実施の形態３のピーク電圧抑圧手順を示す図である。なお、送信装置およびピーク抑圧部５の構成については、先に説明した実施の形態１および２と同様であるため、ここでは、実施の形態１および２と処理の異なるピーク抑圧部５内の目標値生成部２２の処理についてのみ説明する。
【００４３】
図９において、（ａ）は包絡線検出部２１で検出した信号の包絡線レベルｚ（ｉ）、すなわち、ピーク電圧抑圧前の包絡線レベルの一例を表し、（ｂ）は本実施の形態における目標値生成部２２に入力された（ａ）の波形に対する目標値ｄ（ｉ）の一例を表し、（ｃ）は目標値ｄ（ｉ）を用いた適応信号処理により算出されたゲインによってピーク電圧を抑圧された信号の包絡線レベルの一例を表す。
【００４４】
上記目標値ｄ（ｉ）は、包絡線検出部２１で検出したピーク抑圧前の信号の包絡線レベルｚ（ｉ）を用いて、予め設定されたしきい値ｄｔｈに基づいて、次式（８）により算出する。
【００４５】
【数８】
2004128923.tif 000010
【００４６】
式（８）では、ピーク抑圧前の信号の包絡線レベルｚ（ｉ）がしきい値ｄｔｈを超えた場合、しきい値ｄｔｈを超えた部分の大きさに対して重みα（＞０）を乗算し、その後、その乗算結果をしきい値ｄｔｈから減算する処理を行うことにより、目標値を算出している。この処理では、ピーク抑圧後の包絡線レベルがしきい値ｄｔｈを大きく超えないように、超過部分のレベルに応じて、目標値ｄ（ｉ）をしきい値ｄｔｈよりも小さな値に設定する。
【００４７】
このように、本実施の形態においては、ピーク抑圧後の信号の振幅がしきい値を大きく超えないようにするために、ピーク抑圧前信号のしきい値を超える信号部分に対応する目標値を、ピーク電圧の大きさに応じてしきい値よりも小さな値に設定する。これにより、さらに、ピーク電圧抑圧効果を大きくすることができる。
【００４８】
実施の形態４．
つぎに、実施の形態４のピーク電圧抑圧手順について説明する。なお、送信装置およびピーク抑圧部５の構成については、先に説明した実施の形態１および２と同様であるため、ここでは、実施の形態１および２と処理の異なるピーク抑圧部５内の目標値生成部２２の処理についてのみ説明する。
【００４９】
本実施の形態では、目標値ｄ（ｉ）を、包絡線検出部２１で検出したピーク抑圧前の信号の包絡線レベルｚ（ｉ）を用いて、予め設定されたしきい値ｄｔｈに基づいて、次式（９）により算出する。
【００５０】
【数９】
2004128923.tif 000011
【００５１】
式（９）では、ピーク抑圧前の信号の包絡線レベルｚ（ｉ）がしきい値ｄｔｈを超えた場合、しきい値ｄｔｈを超えた部分の大きさに対して重みα（＞０）を乗算し、その後、その乗算結果をしきい値ｄｔｈから減算する処理を行うことにより、目標値を算出している。この処理では、ピーク抑圧後の包絡線レベルがしきい値ｄｔｈを大きく超えないように、超過部分のレベルに応じて、目標値ｄ（ｉ）をしきい値ｄｔｈよりも小さな値に設定する。さらに、ｚ（ｉ）の信号レベルが大きく、（１＋１／α）・ｄｔｈを超えた場合には、式（９）に示すように、目標値ｄ（ｉ）＝０と設定することにより、目標値ｄ（ｉ）が正の値をとるよう制限する。
【００５２】
このように、本実施の形態においては、ピーク抑圧後の信号の振幅がしきい値を大きく超えないようにするために、ピーク抑圧前信号のしきい値を超える信号部分に対応する目標値を、ピーク電圧の大きさに応じてしきい値よりも小さな０以上の値を設定する。すなわち、目標値の範囲を限定する。これにより、回路規模を抑えながらピーク電圧を抑圧でき、さらに、帯域外輻射を低減することができる。
【００５３】
実施の形態５．
図１０は、実施の形態５のピーク抑圧部５の構成を示す図である。なお、ピーク抑圧部５以外の送信装置の構成については、先に説明した実施の形態１の図１と同様であるため同一の符号を付してその説明を省略する。ここでは、実施の形態２と動作の異なるピーク抑圧部５内のしきい値算出部６１の処理についてのみ説明する。
【００５４】
しきい値算出部６１では、ピーク電圧を制限するためのしきい値を信号の振幅（包絡線レベル）の平均値を基準に算出する。しきい値算出部６１では、まず、包絡線検出部２１の出力を用いて時間方向の平均化処理を行い、信号の包絡線レベルの平均値を算出する。そして、この平均値に任意の正の定数βを乗算することによりしきい値を算出する。なお、上記平均化処理は、一定の時間範囲内で平均化を行うＦＩＲフィルタを用いてもよいし、一定の次定数を有するＩＩＲ（Ｉｎｆｉｎｉｔｅ　Ｉｍｐｕｌｓｅ　Ｒｅｓｐｏｎｓｅ）フィルタを用いて実現することとしてもよい。
【００５５】
このように、本実施の形態においては、入力信号の振幅（包絡線レベル）の平均値に比例した値をしきい値として算出する。これにより、さらに、入力信号のレベルに応じて適切にしきい値を設定することができる。
【００５６】
なお、本実施の形態においては、一例として、実施の形態２のピーク抑圧部の構成にしきい値算出部６１を追加した場合について説明したが、これに限らず、たとえば、実施の形態１，３，４のピーク抑圧部の構成にしきい値算出部６１を追加することとしても、上記と同様の効果を得ることができる。
【００５７】
【発明の効果】
以上、説明したとおり、本発明によれば、ピーク電圧を抑圧するために、送信すべき信号の包絡線レベルに対して所定のしきい値を設定し、たとえば、包絡線レベルが前記しきい値よりも大きい場合には、ゲインを適応的にコントロールするための目標値を前記しきい値とし、一方、包絡線レベルが前記しきい値よりも小さい場合には、目標値を包絡線レベルとする。そして、ピーク抑圧後の信号が目標値に近づくように、上記送信すべき信号に対して適応信号処理により算出されたゲインを乗算する。これにより、ピーク電圧を抑圧しつつ、さらに帯域外輻射を低減させることができる、という効果を奏する。
【図面の簡単な説明】
【図１】本発明にかかる送信装置の構成を示す図である。
【図２】ガードインターバル（ＧＩ）の付加方法を示す図である。
【図３】実施の形態１のピーク抑圧部の構成を示す図である。
【図４】ピーク抑圧部の移動平均処理の一例を示す図である。
【図５】ピーク電圧を抑圧する手順を示す図である。
【図６】実施の形態２のピーク抑圧部の構成を示す図である。
【図７】ピーク抑圧部内で実行されるＦＩＲフィルタ処理の一例を示す図である。
【図８】ＦＩＲフィルタのタップ係数の一例を示す図である。
【図９】実施の形態３のピーク電圧抑圧手順を示す図である。
【図１０】実施の形態５のピーク抑圧部の構成を示す図である。
【図１１】従来の送信装置の構成を示す図である。
【符号の説明】
１　シリアル／パラレル（Ｓ／Ｐ）変換部、２−１，２−２，２−ｎ　変調器、３　逆フーリエ変換（ＩＦＦＴ）部、４　ガードインターバル（ＧＩ）付加部、５　ピーク抑圧部、６　周波数変換部、７　発振器、８　送信アンプ、９　アンテナ、２１　包絡線検出部、２２　目標値生成部、２３，２９，３３，５２−１，５２−２，５２−（Ｍ＋１）　乗算器、２４，２６　移動平均部、２５　２乗器、２７　除算器、２８　遅延器、３１，５１　シフトレジスタ、３２，５３加算器、４１，４２　ＦＩＲフィルタ部、６１　しきい値算出部。
【図１】
2004128923.tif 000012
【図２】
2004128923.tif 000013
【図３】
2004128923.tif 000014
【図４】
2004128923.tif 000015
【図５】
2004128923.tif 000016
【図６】
2004128923.tif 000017
【図７】
2004128923.tif 000018
【図８】
2004128923.tif 000019
【図９】
2004128923.tif 000020
【図１０】
2004128923.tif 000021
【図１１】
2004128923.tif 000022